【事件の表示】
　特許第２９９８０８４号「いちご栽培装置」の請求項１、２に係る特許に対する特許異議の申立てについて、次のとおり決定する。
【結　論】
　訂正を認める。
　特許第２９９８０８４号の請求項１ないし２に係る特許を維持する。
【理　由】
（１）手続の経緯
　特許第２９９８０８４号に係る発明についての出願は、平成１０年３月３０日に出願され、平成１１年１１月５日にその発明について特許の設定登録がなされ、その後、その特許について、異議申立人小玉正則により特許異議の申立てがなされ、取消理由通知がなされ、その指定期間内である平成１３年１月５日に訂正請求がなされたものである。
（２）訂正の適否についての判断
ア．訂正の内容
（１）特許請求の範囲の請求項１を「【請求項１】横架させた２本のアーム間に不透根シートを断面Ｕ字型に弛ませて栽培ベットを形成すると共に該ベット内に培地を装填し、該栽培ベットの下方を防水性を備えた外層シートで囲繞させて気層空間を形成すると共に、該気層空間の一部に暖房機及び／又は冷房機に連結した温風又は冷風を送るダクトを配設し、
該ベットの上方に、ホース本体の外側に穿つた取水口からジグザグ型の通路を形成すると共に終端に排水口を穿設する点滴部を形成した培養液を滴下させる送液管を配設すると共に、毛管現象にて培養液を拡散させる浸潤性シートを培地上面及び下面に敷設し、該培地下面に敷設した湿潤性シートと組み合わせて、外層シート上で培養液が貯留する箇所に向けて吸水布を垂下させたことを特徴とするいちご栽培装置。」と訂正する。
イ．訂正の目的の適否、新規事項の有無、及び拡張・変更の存否
　上記訂正事項（１）は、請求項１において、「培養液を滴下する送液管」を「ホース本体の外側に穿つた取水口からジグザグ型の通路を形成すると共に終端に排水口を穿設する点滴部を形成した培養液を滴下させる送液管」に特定し、「浸潤性シートを培地上面及び／又は下面に敷設し」を「浸潤性シートを培地上面及び下面に敷設し」に限定し、「該ベットの下部に外層シート上で培養液が貯留する箇所に向けて吸水布を垂下させた」を「該培地下面に敷設した湿潤性シートと組み合わせて、外層シート上で培養液が貯留する箇所に向けて吸水布を垂下させた」と特定するものであるから、特許請求の範囲の減縮を目的とするものである。
　そして、上記訂正は願書に添付した明細書または図面に記載された事項の範囲を越えるものとは認められないから、新規事項の追加に該当せず、また特許請求の範囲を実質的に拡張または変更するものではない。
エ．むすび
　以上のとおりであるから、上記訂正は特許法第１２０条の４第２項及び同条第３項において準用する特許法第１２６条第２項から第３項の規定に適合するので、当該訂正を認める。
（３）特許異議の申立てについて
ア．申立ての理由の概要
　申立人は、甲第１乃至１４号証を提出して、請求項１ないし２に係る発明の特許は、特許法第２９条第２項の規定に違反してなされたものであるから取り消されるべきものである旨主張している。
イ．本件発明
　本件請求項１ないし２に係る発明は、平成１３年１月５日付けで提出された訂正請求書に添付された明細書の特許請求の範囲の請求項１ないし２に記載された次の事項により特定されるとおりのものである。
「【請求項１】横架させた２本のアーム間に不透根シートを断面Ｕ字型に弛ませて栽培ベットを形成すると共に該ベット内に培地を装填し、該栽培ベットの下方を防水性を備えた外層シートで囲繞させて気層空間を形成すると共に、該気層空間の一部に暖房機及び／又は冷房機に連結した温風又は冷風を送るダクトを配設し、
　該ベットの上方に、ホース本体の外側に穿つた取水口からジグザグ型の通路を形成すると共に終端に排水口を穿設する点滴部を形成した培養液を滴下させる送液管を配設すると共に、毛管現象にて培養液を拡散させる浸潤性シートを培地上面及び下面に敷設し、
　該培地下面に敷設した湿潤性シートと組み合わせて、外層シート上で培養液が貯留する箇所に向けて吸水布を垂下させたことを特徴とするいちご栽培装置。
【請求項２】横架させた２本のアーム間に不透根シートを断面Ｕ字型に弛ませて栽培ベットを少なくとも２個以上形成すると共に該ベット内に培地を装填し、
　該２個以上の栽培ベットの下方を囲繞させて防水性を備えた外層シートを配して気層空間を形成すると共に、該気層空間の一部で上記２個以上の栽培ベットの間に暖房機及び／又は冷房機に連結した温風又は冷風を送るダクトを配設し、
　該ベットの上方に培養液を滴下させる送液管を配設すると共に、毛管現象にて培養液を拡散させる浸潤性シートを培地上面及び／又は下面に敷設し、
　該ベットの下部に外層シート上で培養液が貯留する箇所に向けて吸水布を垂下させたたことを特徴とするいちご栽培装置。」
ウ．甲第各号証に記載の発明
　甲第１号証（取消理由通知に引用した刊行物１）（実願平４−５１８１２号（実開平６−７４５６号）のＣＤ−ＲＯＭ）には、「防水性と遮光性を有し、断面略凹状となるようにかつ両側端縁付近が内方に向けて折り返されて該折り返し部分が遮光部として機能するように配設されるシート状基部材と、栽培植物の根の貫通を阻止し得る孔隙を有し、該シート状基部材の内側であって底部に対して適宜の間隔を有して配設され、該シート状基部材の底部との間に培養液の排水部を形成し得ると共に上面に培地を配設可能な透水性シートと、液体吸上げ機能と吸下げ機能を有し、培地と排水部とに一部が接触して配設される吸上げ・吸下げシートと、を備え、該シート状基部材、透水性シート及び吸上げ・吸下げシートが一体的に固着されていることを特徴とする植物栽培用ベッド。」（請求項１）、「シート状基部材２は、防水性と遮光性を有する素材からなるものであれば特に限定されるものではないが、例えば、ポリエチレンフィルムにアルミ蒸着を施したものや、ポリエチレンフィルムにアルミ混入フィルムをラミネートしたもののように保温性、遮熱性をも備えた素材を用いることが好ましい。そして、このシート状基部材２は、断面略凹状となるように、すなわち、中央部付近が低所に位置するように、両側端縁付近を高所に支持させて配設される。両側端縁付近の支持手段は特に限定されるものではなく、任意の長さ、幅、深さで作地等を掘削して形成した溝の内壁に沿って配設し、この溝と地表との境界部で支持する構成としてもよい。また、図１に示すように、複数本の支柱パイプ７を対面立設すると共に、この支柱パイプ７の上部に支持パイプ８を該支柱パイプ７と略直交する方向にかけ渡し配設して固定し、シート状基部材２の両側端縁付近をこの支持パイプ８に係合する断面略半円形のパイプ止め具８ａにより固定するものとしてもよい。」（段落【０００８】）、「透水性シート３は、ポリビニルアルコール、ポリエステル、ナイロン等の不織繊維を一または二以上組み合わせてなる不織シート状体により構成され、吸水性を有し、栽培植物の根の貫通を阻止し得る微細な孔隙を有する。この孔隙の大きさは栽培植物の種類によって適宜決定し得るものであるが、一般には直径５０μｍ以下とすることが好ましい。この透水性シート３は、図１及び図２に示すように、その下方に培養液の排水部１２を形成する空間を有するように、すなわち、シート状基部材２の略中央部底面との間に適宜の間隔を有するように、該シート状基部材２の内面に両側端縁３ａ，３ｂを固着することにより配設される。固着方法は特に限定されるものではなく、熱溶着、接着等の手段を用いることができる。」（段落【００１０】）、「なお、排水部１２には排出された培養液がたまるように、排水部１２の底面（すなわちシート状基部材２の底面）が長手方向に沿って傾斜しないように、すなわち、略水平となるように配設される。　また、この透水性シート３上には、ロックウール，れき等から構成される培地５が充填されて配設される。」（段落【００１１】）、「吸上げ・吸下げシート４は、シート状基部材２の内面に固着されて配設される。具体的には、一部（略中央部付近）４ａが排水部１２内に位置し、培地５���通過した余剰の培養液と接するように、両側縁部４ｂ，４ｃが培地と接触するように配設される。なお、シート状基部材２への固着方法は特に限定されるものではなく、上述した透水性シート３と同様、熱溶着、接着等の手段を用いることができる。吸上げ・吸下げシート４は、培地５内の余剰の培養液を速やかに排水部１２へ排水する機能と共に、逆に培地５内の培養液量が不足した場合に該排水部１２に貯蔵された培養液を吸い上げて培地５へ供給する機能を有するものである。このような機能を果たす素材としては、例えば、ポリビニルアルコール、ポリプロピレン、ポリエステル等の繊維を一または二以上組み合わせてなる不織シート状体のものを用いることができる。」（段落【００１２】）、「なお、６は培養液を供給するための給液チューブであり、周壁に給液孔が複数形成され、一端は図示しない培養液貯蔵層に接続されている。この給液チューブ６の配設位置は特に限定されるものではないが、図１に示したように、培地５の上方であって、シート状基部材２の折り返し部分２ｅ，２ｆの下方に配設することができる。また、９は培地５内に配設した温度調整用の温水・冷水供給パイプである。」（段落【００１４】）、「通常、栽培植物へ培養液を供給する場合は、給液チューブ６から供給する。そして、余剰の培養液は、透水性シート３と吸上げ・吸下げシート４を通じて速やかに排水部１２へ排出され、該排水部１２に貯蔵される。なお、透水性シート３は根の貫通を阻止し得る程度の孔径で形成されているため、栽培植物の根が伸びても、根が排水部１２内の培養液に直接浸漬することがなく、過剰の培養液供給による過水分、過栄養状態となることがない。」（段落【００１６】）、「給液チューブ６の培養液給液孔が目詰まりするなどして、培養液の供給が阻害されると、培養液不足が生じる。しかしながら、本実施例によれば、かかる場合に、排水部１２内に一部が浸漬するように配設されている吸上げ・吸下げシート４の空隙間で起こる毛細管現象により、該排水部１２から培養液が吸い上げられ、培地５へ供給される。したがって、給液チューブ６からの培養液供給がストップした場合にも、該吸上げ・吸下げシート４を通じて培養液補給がなされる。」（段落【００１７】）と記載されている。
　甲第２号証（取消理由通知に引用した刊行物２）（特開平７ー２５５２８８号公報）には、「地上面上に所望の高さを確保する間隙保持体と、前記間隙保持体上に設置された栽培槽とを有し、前記栽培槽の底部の略全面にわたってネット構造が形成され、前記ネット構造の上面側に培地が設けられ、下面側に空気層が設けられ、更に前記空気層と同等レベル以下の位置に空気層と連通された加温装置が設置されている〜栽培装置」（請求項１）、「この発明は、いちご〜等の培地による栽培装置に関する」（段落【０００１】）と記載されている。
　甲第３号証（取消理由通知に引用した刊行物３）（特開平１０ー３７号公報）には、「合成樹脂発泡材製のブロック体に上開きの凹部を形成して据え置き式の栽培ベッドとし、この栽培ベッドの前記凹部の底部には熱源気流を吐出するダクトを配設するとともに、前記凹部内で前記ダクトの上方には培地を収容したコンテナを配置した〜植物栽培装置」（請求項１）と記載されている。
　甲第４号証（取消理由通知に引用した刊行物４）（特開平４ー７１４３２号公報）には、「空気冷却器とこの空気冷却器で冷却された空気を冷風として送出する送風機を備えた冷風発生装置と、この装置に設けられた冷風吐出口と、この吐出口に接続され冷風噴出口が設けられた冷風供給管とこの管が設けられている溝と、この溝の他部を覆うように配設されると共に下面に複数の開口を有し且つ内部に植物栽培用の培土を収容した容器と、冷風発生装置に設けられ植物周辺の空気が冷風発生装置に取り入れられる空気取入口とを備えた〜植物栽培装置」（請求項２）と記載されている。　
　甲第５号証（実公平３ー３９０２４号公報）には、「加熱手段７を設けるようにすると、加熱手段からの熱は一旦貯液部２内の培養液を暖める。そして、この培養液からの熱が支持部材３を通過して培地を暖めるようになる。培養液からの熱は、貯液部２の広範囲に亘り培地材１に伝わつていくので、培地材全体が均一に加温されるようになる」（５欄１〜６行）と記載され、第１図には、貯液部２の上方に空間をおいて培地材１が支持されると共に、貯液部２の下部に加熱手段７が配置されている。
　甲第６号証（取消理由通知に引用した刊行物５）（実公昭５８ー１０４４５号公報）には、「マルチフィルム下面に吸水性布地を重畳し、その毛細管現象して水が土壌全面に行き亙るようにしたもの」（１欄３４〜３７行）と記載されている。
　甲第７号証（実願昭５７ー１６８１６３号（実開昭５９ー７０４５６号）のマイクロフィルム）には、「次に、導水筒１０内にポンプ４１等を用いて水又は液肥を供給すると、これ等の水又は液肥は、導水筒１０内の空気を吸引しながら上面より第３図矢印Ｘ・・・の方向へ毛管浸潤すると共に、左右の浸潤マット１３、１３からもサイフォン流動と不飽和の流れによつて空気を吸引しつつ矢印Ｙ・・・の方向に浸潤するから、土壌中に水又は液肥と一緒に酸素を十分浸透させることができ、従って、土壌を好気性条件下に置いて嫌気性菌による目詰りを防止し、植物の生育を促進することが可能と成る」（６頁１３行〜７頁３行）と記載されている。
　甲第８号証（取消理由通知に引用した刊行物６）（特公昭５４ー７６９１号公報）には、「透水性があり且つ耐腐敗性を有する薄膜にて不定形培地を高畦床状に梱包すると共に上面に適当間隔毎に植物栽培用の未封かん部を設けた栽培床を長尺の不透水性皿状体上に載置し上方より灌注する〜作物の水耕栽培方法」（特許請求の範囲第１項）と記載されている。
　甲第９号証（取消理由通知に引用した刊行物７）（実開平２−１１６９４１号公報）には、「底部に水を貯める貯水鉢と、該貯水鉢の上半部に嵌入する植木鉢本体とから成り、該植木鉢本体の底部に取り付けた吸水布により前記貯水鉢内の水を前記植木鉢本体内の培養土壌に吸い上げるようにした植木鉢」（実用新案登録請求の範囲）と記載されている。
　甲第１０号証（実開昭５７ー１０９７５２号公報）には、「上端が開口した有底筒形状の容器本体１の底部に吸水布７を配すると共に、前記容器本体１の底板２に、上記吸水布７の一部が導出される開口部６を薄肉部４を介して蓋材３’により封鎖して成る植木鉢」（実用新案登録請求の範囲）と記載されている。
　甲第１１号証（実願昭４６ー８３００７号（実開昭４８ー４０３３２号）のマイクロフィルム）には、「培養液２を収納する溜り部３を有し、この溜り部３における液面２’より上方位置に、垂直横断面形状が袋状をなす親水性で、且つ育成作物の根を通さない目の細かい布状体６を設け、この袋状布状体６の口部を育成作物の茎部が通過すべく形成すると共に、袋状布状体６から下方に親水性物体８を連設させて、その下端部を前記溜り部３内の培養液２の液面２’下に位置させ、もって、前記溜り部３内の培養液２が前記袋状布状体６に吸送されるべく構成してある布床栽培装置」（実用新案登録請求の範囲）と記載されている。
　甲第１２号証（取消理由通知に引用した刊行物８）（実用新案登録第２５４６７７５号公報）には、「任意の不動部に立設した支柱部材により所定高さで略水平に配設されたパイプ部材と、柔軟なシート材から構成され、該パイプ部材に少なくとも両側縁部が支持されて、かつ略中央部が垂れ下がるように配設された栽培床と、該栽培床の凹部に充填される培地材と、を有してなる植物栽培用簡易ベッドにおいて、該栽培床が、栽培植物の根の通過を阻止し得る程度の孔隙を有する透水性の内側シートと、該内側シートの外方で、該内側シートに対して所定間隔をもって配設される不通水性の外側シートとからなる二重シート材から構成されると共に、前記パイプ部材の少なくとも一方が巻取り装置により回転可能に支持され、該二重シート材からなる栽培床を該パイプ部材に巻取り巻き戻しすることにより、栽培床の高さ調整が可能であることを特徴とする植物栽培用簡易ベッド。」（請求項１）、「前記パイプ部材が、前記栽培床の両側縁部と、該両側縁部の間とに略平行に適宜数配設されて、両側縁部に配設されるパイプ部材間に前記栽培床により形成される培地材充填用の凹部が複数形成されている請求項１記載の植物栽培用簡易ベッド。」（請求項２）と記載されている。
　甲第１３号証（実開平６ー５５３２６号公報）には、「複数のベッドが、通路を介して並列に配設されるイチゴ栽培用ベッドシステムにおいて、　前記通路が、２以上のベッドを一組としてなるベッドユニット間にのみ設けられ、かつ、ベッドユニットを構成する各ベッドが、隣接するベッドとの間にそれぞれのベッドで成長した果実同士が接触しない一方、ベッドユニットを挟むいずれの通路からも通路間の略中央部で成長する果実に対し手入れ作業可能な間隔をもって配設され、かつ各ベッドユニットにおける各ベッド間に果実支持用シートが張設されていることを特徴とするイチゴ栽培用ベッドシステム。」（請求項１）と記載されている。
　甲第１４号証（特開平８ー１０７７２３号公報）には、「底部に長手方向に沿って形成された排液の溝部を有する２以上の培地充填用凹部と、該培地充填用凹部間に設けられた果実を支持するための突出部とが一体に形成されているイチゴの栽培装置」（請求項１）、「前記培地充填用凹部の底部に長手方向に沿って培地の温度調整用の温湯供給管が配設されている請求項１又は２記載のイチゴの栽培装置」（請求項３）と記載されている。
エ．対比・判断
（本件請求項１に係る発明について）
　本件請求項１に係る発明と甲第１乃至１１号証に記載の発明を対比すると、これら甲第各号証には、本件請求項１に係る発明を特定するための事項である「ホース本体の外側に穿つた取水口からジグザグ型の通路を形成すると共に終端に排水口を穿設する点滴部を形成した培養液を滴下させる送液管」および「不透根シートを断面Ｕ字型に弛ませて栽培ベットを形成すると共に該ベット内に培地を装填し、該栽培ベットの下方を防水性を備えた外層シートで囲繞させて気層空間を形成すると共に、該培地下面に敷設した湿潤性シートと組み合わせて、外層シート上で培養液が貯留する箇所に向けて吸水布を垂下させたこと」についての記載がない。
　即ち、甲第１、３、５、６、７号証には、培地上部に送液管を設けることは記載されているが、送液管として、ホース本体の外側に穿つた取水口からジグザグ型の通路を形成すると共に終端に排水口を穿設する点滴部を形成した培養液を滴下させることについての記載はない。また、甲第９乃至１１号証には、植木鉢の下部を貯水部として、植木鉢上部から垂下させた吸水布を用いて貯水部の水を植木鉢上部の培地に給水することは記載されているが、これらは、貯水部の水又は培養液を源水として、培地に水又は培養液を供給するものであって、培地上部から供給された培養液が培地下部から流下して防水性の外側シート溜まった余剰水を培地に還流して、余剰水の発生を抑制することを目的として、「（液体透過性の）不透根シートを断面Ｕ字型に弛ませて栽培ベットを形成すると共に該ベット内に培地を装填し、該培地下面に敷設した湿潤性シートと組み合わせて、外層シート上で培養液が貯留する箇所に向けて吸水布を垂下させたこと」についての記載はない。
　そして、本件請求項１に係る発明は、上記構成の送液管によるホース内水圧を調整して灌水量を一定とする作用と、培地上面及び下面に敷設した浸潤性シートの毛管現象による培養液の拡散作用との相互作用により、培養液の培地への拡散が効率的となり、培地全体に渡って均一な濃度で培養液が供給されると共に、過剰な供給をできるかぎり抑制することができるので、経済的であると共に余剰水の発生をも可及的に少なくすることができ、さらに、該培地下面に敷設した湿潤性シートと組み合わせて、外層シート上で培養液が貯留する箇所に向けて吸水布を垂下させることにより、外層シートに溜まった余剰水を再び培地に戻して培養液として働かせることができ、余剰水の発生を零にすることが可能となり、環境汚染問題を完全に解消することができるという明細書（段落【００２７】、【００２８】）に記載の顕著な効果を奏するものであるから、本件請求項１に係る発明は、甲第１乃至１３号証に記載の発明に基づいて当業者が容易に発明をすることができたものとすることはできない。
（本件請求項２に係る発明について）
　本件請求項２に係る発明と甲第１乃至１４に係る発明を対比すると、これら甲第各号証には、本件請求項２に係る発明を特定する事項である「２個以上の栽培ベットの下方を囲繞させて防水性を備えた外層シートを配して気層空間を形成すると共に、該気層空間の一部で上記２個以上の栽培ベットの間に暖房機及び／又は冷房機に連結した温風又は冷風を送るダクトを配設」することについての記載はない。
　確かに、甲第１２乃至１４号証には、栽培ベットを２個以上設けることは記載されているが、甲第１２号証では、２個以上のベットの間は内側シートと外側シートが重合されているから、気層空間の一部で上記２個以上の栽培ベットの間に暖房機及び／又は冷房機に連結した温風又は冷風を送るダクトを配設する構成は取り得ず、しかも、温風又は冷風を送るダクトを配設することも記載されておらず、甲第１３、１４号証は、ベットの下方に外側シートで気層空間を形成することも、ベットの下方に温風又は冷風を送るダクトを配設することも記載されていないから、甲第１２乃至１４号証には、上記請求項２に係る発明を特定する事項についての記載も、このことを示唆する記載も認められない。
　したがって、甲第１２ないし１４号証に、２個以上栽培ベットを設けることが記載されていることをもって、本件請求項２に係る発明が、甲第１乃至１４号証に記載の発明に基づいて当業者が容易に発明をすることができたものとすることはできない。
オ．むすび
　以上のとおりであるから、特許異議申立ての理由および証拠によっては、本件発明の特許を取り消すことはできない。
　また、他に本件発明の特許を取り消すべき理由を発見しない。
　よって、結論のとおり決定する。
【異議決定日】
平成１３年１月３０日（２００１．１．３０）
【訂正の要旨】
　特許第２９９８０８４号の明細書を本件訂正請求書に添付の訂正明細書のとおりに訂正する。即ち、特許請求の範囲の減縮を目的として下記（１）のとおり訂正する。
（１）特許請求の範囲の請求項１を「【請求項１】横架させた２本のアーム間に不透根シートを断面Ｕ字型に弛ませて栽培ベットを形成すると共に該ベット内に培地を装填し、該栽培ベットの下方を防水性を備えた外層シートで囲繞させて気層空間を形成すると共に、該気層空間の一部に暖房機及び／又は冷房機に連結した温風又は冷風を送るダクトを配設し、
該ベットの上方に、ホース本体の外側に穿つた取水口からジグザグ型の通路を形成すると共に終端に排水口を穿設する点滴部を形成した培養液を滴下させる送液管を配設すると共に、毛管現象にて培養液を拡散させる浸潤性シートを培地上面及び下面に敷設し、該培地下面に敷設した湿潤性シートと組み合わせて、外層シート上で培養液が貯留する箇所に向けて吸水布を垂下させたことを特徴とするいちご栽培装置。」と訂正する。
（５４）【発明の名称】
いちご栽培装置
（５７）【特許請求の範囲】
　　【請求項１】横架させた２本のアーム間に不透根性シートを断面Ｕ宇型に弛ませて栽培ベットを形成すると共に該ベット内に培地を装填し、
該栽培ベットの下方を防水性を備えた外層シートで囲繞させて気層空間を形成すると共に、該気層空間の一部に暖房機及び／又は冷房機に連結した温風又は冷風を送るダクトを配設し、
該ベットの上方に、
ホース本体の外側に穿った取水口からジグザグ型の通路を形成すると共に終端に排水口を穿設する点滴部を形成した培養液を滴下させる為の送液管
及び
該培地下面に敷設した浸潤性シートと組み合わせて、
　　【請求項２】横架させた２本のアーム間に不透根シートを断面Ｕ字型に弛ませて栽培ベットを少なくとも２個以上形成すると共に該ベット内に培地を装填し、
　該２個以上の栽培ベットの下方を囲繞させて防水性を備えた外層シートを配して気層空間を形成すると共に、該気層空間の一部で上記２個以上の栽培ベットの間に暖房機及び／又は冷房機に連結した温風又は冷風を送るダクトを配設し、
該ベッドの上方に培養液を滴下させる送液管を配設すると共に、毛管現象にて培養液を拡散させる浸潤性シートを培地上面及び／又は下面に敷設し、
該ベットの下部に外層シート上で培養液が貯留する箇所に向けて吸水布を垂下させたことを特徴とするいちご栽培装置。
【発明の詳細な説明】
　　　【０００１】
　　【発明の属する技術分野】
　本発明は、いちご等を栽培する為の栽培装置に関し、更に詳細には、比較的経済的に培地の温度管理が実現できると共に培養液の使用量を可及的に少量又は零とする環境汚染の少ない栽培装置を提供するものである。
　　　【０００２】
　　【従来の技術】
　いちご栽培は、生産性の向上や、省力化、及び収穫時の摘み取り姿勢の矯正等の作業環境の改善等を図る為に、ベットを一定の高さに上げて栽培する方式（高架式）の開発が急務となっているが、ベットを上に上げると地熱の供給がないので夜間等の冷気で培地の温度が下がり易いという．欠点を有している。そこで、冬期の安定生産の為に培地の加温が不可欠で、この解決策として温湯を循環させるパイプを培地内に設置しているのが一般的である。
　具体的には、図６に示す如く断面コの字型の箱体を発泡スチロール、合成樹脂、アルミニウム等で形成し、箱体に培地を充填すると共にそこに温湯循環用のパイプを通し、互いに外周を不透根シートで覆った後、下部に排水溝を刻んで余剰な培養液を廃棄処分している。
　　　【０００３】
　しかし、このような従来装置では、
（ａ）温湯を循環させる為には、燃焼熱で温湯を発生させるボイラーと、該ボイラからの温湯を送る循環ポンプ及び循環パイプ等の設備が必要となり、装置的に大規模化する。
（ｂ）栽培ベッドとして用いられているコの字型の発泡スチロール、合成樹脂等のベッドは、専用の型を用いて成形しなければならず、成形に要する費用が高価であると共に、フレキシブル性に欠ける。
（ｃ）培地の上に設けたパイプから培養液を放水するタイプでは、ポンプとの距離が近いか遠いかによって散水量が異なってくると共に、その過剰分が余剰液を作り出し、多分の余剰液が土壌や河川に流れ出すと土壌の汚染や河川、海の富栄養化等の環境汚染問題を惹起する原因となる。
　　　【０００４】
　　【発明が解決しようとする課題】
　本発明は、上記実情に基づいてなされたもので、熱供給の方式を変えて装置を軽備化させる等して栽培農家に経済的な負担の少ない栽培装置を開発すると共に、今後問題化されるであろう余剰液による環境汚染問題を未然に解消することを主たる課題として本発明を完成させたものである。
　　　【０００５】
　　【課題を解決するための手段】
　本発明いちご栽培装置は、横架させた２本のアーム間に可撓性フィルムを断面Ｕ字型に弛ませて栽培ベットを形成すると共に該ベット内に培地を装填し、該栽培ベットの下方を防水性を備えた外層シートで囲繞させて気層空間を形成すると共に、該気層空間の一部に暖房機及び／又は冷房機に連結した温風又は冷風を送るダクトを配設し、該ベッドの上方に培養液を滴下させる送液管を配設すると共に、毛管現象にて培養液を拡散させる浸潤性シートを培地上面及び／又は下面に敷設して構成される。
　　　【０００６】
　第二の発明は、横架させた２本のアーム間に可撓性フィルムを断面Ｕ字型に弛ませて栽培ベットを少なくとも２個以上形成すると共に該ベット内に培地を装填し、該２個以上の栽培ベットの下方を囲繞せて防水性を備えた外層シートを配して気層空間を形成すると共に、該気層空間の一部で上記２個以上の栽培ベットの間に暖房機及び／又は冷房機に連結した温風又は冷風を送るダクトを配設し、該ベッドの上方に培養液を滴下させる送液管を配設すると共に、毛管現象にて培養液を拡散させる浸潤性シートを培地上面及び／又は下面に敷設して構成される。
　　　【０００７】
　このとき、栽培ベットの下部に、外層シート上で培養液が貯留する箇所に向けて毛管現象で水分を吸引し得る吸水布を垂下させるのが望ましい。
　　　【０００８】
　又、培地は、クリプトモスとパーライトとを混合させたものとするのが望ましい。
　　　【０００９】
　　【実施態様】
　培地幅に適した間隔で、鉄パイプの二本のアーム１を架設し、そこに断面略Ｕ字形となるよう弛ませてベットシート２を渡し、左右端部を巻き付けて固定し、そこに培地３を充填して培地ベッド４を形成する。該シート２の固定には、シート端末とアームとを固定用のパッカーで止めるか、或いは、シート端末を袋状に縫い合わせる等する。
　該ベッドシート２には、不透根シートを用いるのが一般的で、該不透根シートとは、水及び空気が透過可能であるが、毛根、土砂等は通さないよう網目を形成したものをいい、不織布又は織布がある。このシートで形成されたＵ字方の中に培地３を充填して栽培ベッド４を構成する。
　　　【００１０】
　該培地３には、従来ロックウールとするのが一般的であるが、これは保水性に優れる一方で、空隙性に乏しいので根腐れを起こし易く、又、廃棄にあっては、腐敗性がないので処理が困難であるという欠点を持っていた。
　そこで本発明では、杉の皮を乾燥させて細かくしたクリプトモスにパーライトを混入させたものを培地３とした。
　この培地３は、保水性と空隙性のバランスに秀れ、生育結果を示すと表１の通りとなった。
　【表１】
　培地の種類が収量に及ぼす影響
即ち、クリプトモスにパーライト３０％混合のものは、５５４．８ｇ／株及び５６１．８ｇ／株で、従来のロックウールの可販果収量が合計で４６９．３ｇ／株であるのに対し、１７％以上の収量の増加をもたらすことが判明した。
　　　【００１１】
　次に、図１に示す如く、上記栽培ベット４の下方を外層シート５で囲繞させて気層空間６を形成する。
　即ち、前記栽培ベッド４の下部に外層シート５を、ベッドシート２と同様二本のアームに断面略Ｕ字形となるよう且つベッドシート２より更に弛ませてシートを渡し、左右端部を巻き付けて固定し、該栽培ベッド４と外層シート５との間に気層空間６を形成する。
　該外層シート５は、少なくとも防水性を備え、望ましくは、断熱性及び遮光性に優れた素材を用い、例えば、高密度ポリエチレンと低密度ポリエチレンの二層構造のシートとする。
　　　【００１２】
　そして、該気層空間６の一部、例えば、中央部に前記気層空間６内に暖気又は冷気を通すダクト７を配設し、該ダクト７に暖房燃焼機又は冷房機を連結する
（図示省略）。
　該ダクト７は、可撓性の合成樹脂等で形成し、例えば、厚み０．００５〜０．０１ｍｍ程度のポリエチレンを半径６０ｍｍ程度のチューブ体とし、そこに細径の通気孔７ａを穿設して暖気を送る直接型とするか、或いは、通気孔を設けずダクトからの放射、伝導で暖める間接型とする。直接型の場合、温風がベットシートを介して培地を直接暖めるので、加熱効率が高いが、培地の水分を奪い易く、一方、間接型は加熱効率が悪いが、水分を奪う割合が少ないという長所短所を有しており、目的に応じて型を選択する。
　直接型及び間接型のいずれも、ダクトチューブの端末に絞り部を設けて送風された温風又は冷風の排出量の調整を行う。
　暖房機の場合、重油を燃焼させる室内暖房用の温風暖房機又はハウス加熱機等の温風を発生し得る機器であれば良く、該暖房機を新設させても良いが、温風暖房機等は室内暖房用の既設の暖房機をそのまま利用することができる。この点、ボイラーを必要とする温湯式と比べて装置の簡潔化が図れる。
　　　【００１３】
　又、該ダクトの形成にあって、図２に示す如く、栽培ベット４を２個並べ、該栽培ベットの下方を囲繞させて外層シート２を配して気層空間６を形成し、該栽培ベット４の間にダクトを配設する二連式とすることもでき、更に該栽培ベットを３個以上並べて多連式とすることもできる。
　　　【００１４】
　次に、培地への養液の均一分散及び後述の余剰水の抑制を図る目的で、該栽培ベッド４の上に給液管を配し、その一部に孔を穿設し、培養液を滴下させ、その下に浸潤性シート８を配する。
　該浸潤性シート８とは、滴下した液を毛管作用で繊維方向に浸透させていく性能を有するシートをいい、例えばポリエステルの長繊維を不織布としたものがある。
　該シート７は、培地の上に敷設する態様と、培地の下に敷設する態様とがあり、上側に敷設する場合は、ベッド幅いっぱいに敷設するのが望ましいが、ベッドの側部にはいちごの株が植えられるので、その部分は切り抜く等して除き、下に敷設する場合には不透根シートと併用するのが望ましい。
　勿論、該浸潤性シート８は上部と下部の双方に敷設するのが好ましいが、経済性を考慮して態様を選択する。
　　　【００１５】
　次に、給液管９は、培地上方に設置して培養液を滴下させて必要量を供給するもので、例えば、図３に示す如く、ホース本体の外側に取水口９ａを穿ち、そこからジグザグ型の通路９ｂを形成し、その終端部に排水口９ｃを穿設する点滴部を形成する。
　ホース本体から取入口９ａに導かれた水は、ジグザグ型の通路９ｂを流れるので、ホース内水圧が調整されて潅水量が一定となる。
　　　【００１６】
　更に、気層空間の下部に溜まった余剰液に対し、その溜まり部に毛管作用で吸い上げ可能な吸水布１０を垂下させて余剰液の吸い上げ機構を形成する。
　該吸水布１０は、毛細管現象を惹起させ得る布体で構成し、例えば、浸潤性シート８と同様ポリエステルの長繊維を不織布としたものとすることができる。
　該吸水布１０は、浸潤性シート８を下側に敷いて、吸水布１０と連結させると、吸い上げ液が更に拡散して培地への液供給を均一にする。
　　　【００１７】
　該吸水布１０の形成にあたって、栽培ベット４中央の直下にダクト７を配設する場合には吸水布１０を垂下させ難いが、この場合には、吸水布１０をダクト７の回りに迂回させれば良く、吸水布１０の毛管現象は高低差に影響されるだけであって吸水布１０の長さに影響されないので、吸水力に何等問題は生じない。
　　　【００１８】
　次に、本実施態様に基づいていちご栽培を行う際の作用を説明する。
　先ず、冬期に暖房機を燃焼させ、ダクト７を通して気層空間６に暖気を送ると、該ダクト７から通気孔７ａを通って暖気が気層空間６内に充満し、該気層空間６は栽培ベット４の下側全体と接触しているから、該栽培ベット４を全体的に、且つ、均一に、効率良く暖めて、冬期におけるいちご培地を適温に維持する。
　この温風による栽培ベットの加温と従来装置による加温とを比較し、その収量の違いを比べたのが下記の表２である。
　【表２】
　ベットと加温方式の違いが収量に及ぼす影響
　従来型：発泡スチロール製正方形型ベットに難分解パークミックスを装填して培地とし、その培地内に電熱線を配して加温したもの。
　温風型：シート製ベットに、難分解パークミックスを培地とし、ダクトから温風で加温したもの。
　この結果、１２月，１月，２月の前記においては、従来型の月別収量が僅か上回ったものの、３月，４月，５月の後期においては逆に温風型が大幅に上回り、全体としても合計収量及び１果重も従来型を上回り、適切な加温であることが裏付けられた。
　　　【００１９】
　このとき、暖房機で生じた暖気はダクト７を介して気層空間６に送られ、該気層空間６に充満した暖気が栽培ベット４を暖め、その後該暖気は、気層空間６の一部から空中に放出させれば良い。従って、循環式としてパイプを密閉状に連結させて、重い温湯を循環ポンプで循環させる従来の装置と比較すると、装備が軽量化されると共に大幅に簡潔化される。又、該暖房機は、ハウス暖房用のもの等既設の物を利用することができるので、経済的負担が少ない。
　　　【００２０】
　このことは、夏期等で栽培ベットを冷やす必要が生じた場合でも、ダクトを冷房機に連結させてやれば良く、作用もまったく同様である。
　　　【００２１】
　次に、上記栽培ベット４に対し、培養液を供給する際、従来の散水又は放水式にあっては、滴下した養液が培地に落とされ、重力に従ってそのまま下方に浸透するから、滴下したところがら殆ど拡散しない傾向にあった。
　しかし、本発明装置では、給液管９から滴下された養液が、浸潤性シート８に落とされ、それが毛管現象により繊維方向に沿って浸透し、シート全体が浸潤状態となり、更に培地へと養液が浸透していく。
　これを、従来装置との比較で試験したのが、図４及び表３である。
　【表３】
　浸潤性シートを用いたベットの吸水、拡散性
　Ａ：給液管から直接培地に滴下させた場合（図４Ａ）
　Ｂ：給液管から培地上面に浸潤シートを敷設ものに滴下させた場合（図４Ｂ）
　この結果、従来のものが給液管の直下の部分に、全体の約１５％が拡散しているに過ぎないのに対し（図４Ａ参照）、本発明装置は１００％培地全体に拡散しており、効率良い拡散が確認された。又、保水量も１３％程度向上している（図４Ｂ参照）。
　　　【００２２】
　又、従来装置にあっては、培地全体に養液を満たす必要性から、若干過剰の養液を供給することとなり、余剰液を生じることが不可避であったが、本発明装置では、上記湿潤シート８によって、養液に均一拡散が図られるから、可及的に少量の養液供給で済む。
　加えて、吸水布１０を垂らすと、仮に過剰量の養液を加え、外層シート５上に余剰水が溜まった場合にも、該吸水布１０が毛管現象によりこの余剰水を吸い上げ、培地内へと吸収し、余剰水を零とする。
　この吸い上げ状態及び拡散状態を試験したのが、図５及び表４である。
　【表４】
　吸水布を用いたベットの吸水、拡散性、
　Ｃ：ベット直下に吸水布を垂下した場合（図５Ａ）
　Ｄ：ベット下面に浸潤シートを敷設したものと吸水布とを組合せた場合（図５Ｂ）
　この結果、吸水布は、培地１０００ｃｃ当たり２６０ｃｃ以上の吸水量を持つことが確認された。
　又、上記浸潤性シート８との組合せにおいては、吸水量は若干の向上をもたらすに過ぎないが、拡散割合は９％から１８％へと大きく割合が向上した（図５Ｂ参照）。
　　　【００２３】
　又、該吸水布１０と浸潤性シート８とを組合せた状態での苗の生育と廃液量を試験したのが表５である。
　【表５】
　　生育状況と廃液量
　　条件：給液管の下で培地の上面に浸潤シートを敷設し、ベット下部に吸水布を施した。給液は１回当たり１株に３８ｃｃとした。
　この結果、同様な生育が得られながら、給液量は約半分程度で済み、且つ、廃液量は零となることが確認された。
　　　【００２４】
　　　【実施例１】
　ビニールハウス内で地上で約９０ｃｍの高さに、鉄製パイプ２本を約３０メートル程に横架させ、そこに不透根シートとしてポリエステル繊維（東洋紡ＢＫＳ１８２０）を幅約３０ｃｍで最大厚み１５ｃｍ程度となるよう弛ませてＵ字型の栽培ベットを形成し、端部をパッカーで固定した。培地には、クリプトモスＳとパーライト３０％を混合させて装填した。同時に、外層シートとして、高密度ポリエチレンと低密度ポリエチレンの二層としたシート（ダイヤテックステルエースブラック）を、鉄製パイプに固定し、最大厚みが１０ｃｍ程度となるよう気層空間を形成した。その内部中央に直径約６ｃｍのチューブ状のポリエチレンをダクトとして通し、該ダクトに直径１ｍｍ程度の通気孔を多数穿設した。該ダクトは、重油燃焼型の暖房機に連結した。
　該栽培ベットの上に浸潤性シートとしてポリエステルの不織布（ユニチカ　ラグマット）を敷き、その上方に低密度ポリエチレンで形成したドリップチューブ（ＮＥＴＡＦＩＭ）を配設し、培養液を滴下させた。
　この結果、２月の厳冬期にも培地が約１５℃前後に維持され、収量が４９５ｇ／株となった。且つ、余剰水は僅か２０ｍｍが溜まる程度であった。
　　　【００２５】
　【実施例２】
　ビニールハウス内で地上で約９０ｃｍの高さに、鉄製パイプ４本を約３０メートル程に横架させ、そこに不透根シートとしてポリエステル繊維（東洋紡ＢＫＳ１８２０）を幅約３０ｃｍで高さ１５ｃｍ程度となるよう弛ませてＵ字型の栽培ベットを２個並べて形成し、端部をパッカーで固定した。培地には、クリプトモスＳとパーライト３０％を混合させて装填した。同時に、外層シートとして、高密度ポリエチレンと低密度ポリエチレンの二層としたシート（ダイヤテックステルエースブラック）を、上記２個の栽培ベットの下部を囲うようにし、最大高さが１０ｃｍ程度となるよう気層空間を形成した。
　該気層空間の栽培ベットの下部の不透根シートから外層シートの液溜まり部に向けて約１３ｃｍの長さでポリエステルの不織布（ユニチカ　ラグマット）を垂下した。
　そして、該２個の栽培ベットの中間位置に直径約６ｃｍのチューブ状のポリエチレンをダクトとして通し、該ダクトに直径１ｍｍの通気孔を多数穿設した。該ダクトは、燃焼型の暖房機に連結した。
　該栽培ベットの上に低密度ポリエチレンで形成したドリップチューブ（ＮＥＴＡＦＩＭ）を配設し、培養液を滴下させた。
　その結果、実施例１と同様の優れた収量を得ると共に、余剰水が零となり、更に部品点数が減少し、廉価なタイプとなった。
　　　【００２６】
　　【発明の効果】
　以上の構成に係る本発明は、下記の如き効果を奏する。
（ａ）栽培ベットの底面が直下に形成された気層空間に全面的に接触し、そこから供給される暖気又は冷気によって、培地が均一で且つ効率良く温度管理がなされ、極めて高い収量を得ることができる。同時に、該気層空間による暖気又は冷気は、空中に放散することができ、重い温湯を密閉状のパイプ内で循環させる従来装置と比較すると、装備が簡便になると共に、暖房機をハウス暖房用等の既設のものを利用できるので経済的負担を大幅に軽減させる。
　　　【００２７】
（ｂ）培養液の給液管からの滴下と浸潤性シートとの組合せにより、培養液の培地への拡散が効率的となり、培地全体に渡って均一な濃度で培養液が供給されると共に、過剰な供給をできるかぎり抑制することができるので、経済的であると共に余剰水の発生をも可及的に少なくする。
　　　【００２８】
（ｃ）上記浸潤性シートに加えて吸水布を垂下せさると、該吸水布は毛管現象で水分を吸引し得るので、外層シートに溜まった余剰水を再び培地に戻して培養液として働かせることができ、余剰水の発生を零にすることが可能となり、環境汚染問題を完全に解消することができる。
【図面の簡単な説明】
　　　【図１】
　本発明装置の模式的側断面図。
　　　【図２】
　本発明装置の別の態様の模式的側断面図。
　　　【図３】
　本発明装置の給液部の一態様を示す平面図。
　　　【図４】
　培地への養液の拡散状態を示す模式的側断面図で、（Ａ）が従来の装置の場合、（Ｂ）が本発明浸潤性シートを培地上面に敷設した場合を示す。
　　　【図５】
　培地への養液の拡散状態を示す模式的側断面図で、（Ａ）が吸水布だけを垂下したの場合、（Ｂ）が吸水布と培地下面に敷設した浸潤性シートとを組合せた場合を示す。
　　　【図６】
　従来装置の培地と加温を示す側断面図。
　　　【符号の説明】
１　アーム
２　ベットシート
３　培地
４　栽培ベット
５　外層シート
６　気層空間
７　ダクト
７ａ　通気孔
８　浸潤性シート
９　給液管
１０　吸水布